(57)【要約】【課題】小型化することができ、且つ突出部を係止ばねに確実に係止させた状態でランプを点灯できるランプソケット及びそれを用いた照明器具を提供する。【解決手段】ランプソケットＢは、ソケット本体４を備えており、ソケット本体４の前面側には底部に複数のランプピン３が突設された口金部を収納する収納凹部５ａが設けられている。この収納凹部５ａの側壁には、ランプの挿入方向に沿って挿通溝５ｃが設けられており、またランプの回転方向に沿って係合溝５ｂが挿通溝５ｃと連通して設けられている。これらの挿通溝５ｃ及び係合溝５ｂ内には、口金部に設けた突出部２ａと係止する保持ばね及び係止ばね７がそれぞれ配置されている。また、ソケット本体４の裏面側には複数の導電部材９が収納されており、これらの導電部材９は突出部２ａと係止ばね７とが係止完了状態になると対応するランプピン３と安定接続する位置にそれぞれ配置されている。【選択図】図１
2008130385.tif 000002
【特許請求の範囲】
【請求項１】
ランプピンが底部に突設され互いに対向する両側面に突出部がそれぞれ形成された片口金ランプの口金部が挿入される収納凹部を前面側に有し、当該収納凹部の側壁に前記口金部を当該収納凹部に挿入させる際に前記突出部を挿通させる挿通溝及び当該挿通溝と連通し前記口金部を一方向に回転させた際に前記突出部が進入する係合溝が形成されたソケット本体と、前記係合溝内に配置されて前記突出部と係止する係止ばねと、前記口金部を一方向に回転させた際に前記ランプピンと電気的に接続される導電板とを備え、前記突出部と前記係止ばねとの係止完了状態において前記突出部が前記係止ばねから受ける付勢力によって前記ランプピンが押し当てられる位置に前記導電板を配置したことを特徴とするランプソケット。
【請求項２】
請求項１記載のランプソケットと、ランプと、当該ランプに電源を供給する電源手段とを備えたことを特徴とする照明器具。
【発明の詳細な説明】
【技術分野】
【０００１】
本発明は、ランプソケット及びそれを用いた照明器具に関するものである。
【背景技術】
【０００２】
従来より、片口金タイプのランプを装着するランプソケットがあった（例えば特許文献１参照）。このランプソケットは樹脂製のソケット本体を備えており、ソケット本体の前面側にはランプの口金部を収納する収納凹部が設けられている。この収納凹部の幅方向に沿う両側壁には、口金部の幅方向に沿う両側壁にそれぞれ設けた突出部を挿通させるための挿通溝がそれぞれ設けられており、各挿通溝には口金部を回転させた際に突出部が進入する係止溝がそれぞれ連設されている。また、各係止溝内には進入した突出部を係止する係止ばねがそれぞれ配置されている。
【０００３】
このランプソケットにランプを接続する際に、口金部を前面側から収納凹部に挿入すると、同時に突出部が挿通溝に挿通される。そして、口金部を収納凹部の底面と略平行な面に沿って回転させると突出部が係止溝に進入し、さらに突出部が係止ばねに係止されるとランプがランプソケットに装着される。
【特許文献１】特開２００１−３５７９５０号公報（第３頁−第４頁、及び、第１図−第４図）
【発明の開示】
【発明が解決しようとする課題】
【０００４】
上述の特許文献１に示したランプソケットでは、ランプピンの回転軌道に対して垂直方向からの導電板の挟持力によってランプピンと導電板とが接触しているので、突出部と係止ばねの係止が不完全な状態でも点灯する場合があった。しかしこの状態で使用を継続した場合には、振動等によって突出部と係止ばねとの係合が外れ、ランプが落下する虞れがあった。
【０００５】
また、ランプを着脱する際に加える力を高く設定し、ランプを勢いよく回転させることで不完全な装着状態を回避できるランプソケットも提案されているが、この場合力を加えるための回転作業スペースを広く取る必要があるので、照明器具が大型化してしまうという問題があった。
【０００６】
本発明は上記問題点に鑑みて為されたものであり、その目的とするところは、小型化することができ、且つ突出部を係止ばねに確実に係止させた状態でランプを点灯させることができるランプソケット及びそれを用いた照明器具を提供することにある。
【課題を解決するための手段】
【０００７】
請求項１の発明は、ランプピンが底部に突設され互いに対向する両側面に突出部がそれぞれ形成された片口金ランプの口金部が挿入される収納凹部を前面側に有し、当該収納凹部の側壁に口金部を当該収納凹部に挿入させる際に突出部を挿通させる挿通溝及び当該挿通溝と連通し口金部を一方向に回転させた際に突出部が進入する係合溝が形成されたソケット本体と、係合溝内に配置されて突出部と係止する係止ばねと、口金部を一方向に回転させた際にランプピンと電気的に接続される導電板とを備え、突出部と係止ばねとの係止完了状態において突出部が係止ばねから受ける付勢力によってランプピンが押し当てられる位置に導電板を配置したことを特徴とする。
【０００８】
請求項２の発明は、請求項１記載のランプソケットと、ランプと、当該ランプに電源を供給する電源手段とを備えたことを特徴とする。
【発明の効果】
【０００９】
請求項１の発明によれば、突出部と係止ばねとが係止完了状態になってはじめてランプピンと導電板とが安定接続されるので、突出部と係止ばねとの係止が不完全な状態で放置されることがない。従って、突出部を係止ばねに確実に係止させることができるので、ランプの落下を防止することができるという効果がある。また、係止ばねの付勢力が最大となる位置では、ランプピンは導電板から前面側に押し返し力を受けており、この状態で放置した場合、導電板の押し返し力によって突出部が前面側に押し出され、突出部と係止ばねとの係止が外れてしまう。従って、突出部と係止ばねとが不完全な係止状態に極めてなりにくいという効果がある。
【００１０】
請求項２の発明によれば、請求項１記載のランプソケットを用いることによって、ランプの落下の虞れがない安全性の高い照明器具を提供することができるという効果がある。また、ランプを着脱する際に加える力を必要以上に大きくしなくてもよく、ランプを着脱するための回転作業スペースを最小限にすることができるので、照明器具を小型化することができるという効果がある。
【発明を実施するための最良の形態】
【００１１】
本発明の実施形態を図１〜図４に基づいて説明する。本発明に係るランプソケットＢは、図４に示すように、例えば天井面（図示せず）に取付けられた照明器具Ｃに取付けられており、ランプＡとランプＡに電源を供給するインバータ１４とを電気的に接続した状態でランプＡを保持するために用いられる。
【００１２】
まず、ランプＡについて図２及び図４に基づいて説明する。ランプＡは、螺旋状に形成された発光管１を備えた片口金蛍光ランプであって、下端側には口金部２が設けられている。この口金部２の底部には、複数（図４（ａ）において４本）のランプピン３が突設されており、口金部２において互いに対向する一方の両側壁には、突出部２ａ、２ａがそれぞれ突設されている。
【００１３】
次にランプソケットＢについて図１〜図３に基づいて説明する。ランプソケットＢは、ランプＡの口金部２を収納するための収納凹部５ａを前面側に有するソケット本体４と、ソケット本体４の裏面側に配設され、ランプピン３と電源線（図示せず）とを電気的に接続するための導電部材（導電板）９と、ランプＡの口金部２をソケット本体４の収納凹部５ａに挿入した際に突出部２ａと係止して仮保持する保持ばね８と、収納凹部５ａに挿入した口金部２を回転させた際に突出部２ａを係止させる係止ばね７とを備えている。
【００１４】
ソケット本体４は、絶縁材料により形成されており、前面側に収納凹部５ａを備えた横長の略箱形状の口金収納部５と、裏面側に導電部材９を収納するための収納凹部６ａを有する導電部材収納部６とを一体に形成して構成されている。
【００１５】
口金収納部５は、収納凹部５ａの底部にランプピン３が挿入される略楕円形状のランプピン挿入孔５ｊが複数（図１（ａ）において４個）設けられており、収納凹部５ａの幅方向に沿う両側壁には口金部２に設けた両突出部２ａ、２ａを挿通させるための挿通溝５ｃ、５ｃが形成されている。これらの挿通溝５ｃは、ランプＡの挿入方向（図２のＤの方向）に沿って、口金部２の回転中心に対して対角の位置にそれぞれ形成されている。また、各挿通溝５ｃの前面側端縁には面取り５ｄがそれぞれ施されており、各挿通溝５ｃに対向する口金収納部５の外周面には、挿通溝５ｃの位置を表示するための断面円弧状の突起部５ｅがそれぞれ一体に形成されている。さらに、収納凹部５ａの幅方向に沿う両側壁には、各挿通溝５ｃと連通する係合溝５ｂが口金部２の回転方向（図２のＥの方向）に沿ってそれぞれ形成されており、連通する挿通溝５ｃと係合溝５ｂとの間にはリブ５ｎが裏面側に向かってそれぞれ突設されている。また、図１に示すように各係合溝５ｂの上面には、後述する係止ばね７を位置決めするための位置決め突起５ｋが突設されており、この位置決め突起５ｋを間にして両側には、図２に示すように係止ばね７を係止するための係止凹部５ｐがそれぞれ形成されている。さらに、口金収納部５の外周面において各係合溝５ｂと対応する部位には、各係合溝５ｂと連通する開口部５ｆ、５ｆがそれぞれ設けられている。また、口金収納部５の裏面側には、図３に示すように後述する保持ばね８を挿通して係止するための挿通係止孔５ｇが設けられており、挿通係止孔５ｇの途中位置には保持ばね８の抜け止め片８ｃと係止する段部（図示せず）が設けられている。
【００１６】
導電部材収納部６は、図３に示すように裏面側に４個の導電部材９を収納するための収納凹部６ａが形成されており、この収納凹部６ａの幅方向に沿う両端側において長手方向略中央には、後述する裏カバー１０に設けた一対の弾性係止片１０ａをそれぞれ挿通して係止するための挿通係止孔６ｂがそれぞれ設けられている。
【００１７】
ここで、裏カバー１０について図３に基づいて説明する。裏カバー１０は、導電部材収納部６の収納凹部６ａの開口を塞ぐように略矩形板状に形成されており、各挿通係止孔６ｂに対応する部位には、先端側に係止爪１０ｄを有する弾性係止片１０ａがそれぞれ突設されている。また、裏カバー１０の長手方向に沿う両端側には、電源線を挿入するための電源線挿入孔１０ｂがそれぞれ各２個ずつ設けられており、各電源線挿入孔１０ｂには電源線の接続を解除するための電源線解除孔１０ｃがそれぞれ連設されている。
【００１８】
次に、導電部材９について図３に基づいて説明する。各導電部材９は、導電材料で形成されており、ランプピン３を挟持するための略コ字状の挟持片９ａを有している。また、挟持片９ａの一端側には、電源線を接続するための速結端子９ｂが一体に設けられており、挟持片９ａと速結端子９ｂの差込口が互いに反対向きとなるように配置されている。尚、速結端子９ｂは従来周知の構成を有しているので、その説明は省略する。
【００１９】
さらに、係止ばね７について図１及び図３に基づいて説明する。係止ばね７は、係合溝５ｂに設けた位置決め突起５ｋと対応する部位に位置決め孔７ｄが設けられた位置決め固定片７ａを有しており、位置決め固定片７ａの両端側から係止凹部５ｐ、５ｐと係止する係止片７ｅ、７ｅが略ハ字状に折曲形成されている。また、位置決め固定片７ａの一端側には突出部２ａと弾性自在に弾接する可動ばね片７ｂが折り返して形成されており、位置決め固定片７ａから可動ばね片７ｂへの折り返し部位には、略円弧状の膨出部７ｆが設けられている。さらに、可動ばね片７ｂの先端側には突出部２ａと係止する係止片７ｃが形成されている。
【００２０】
次に、保持ばね８について図３に基づいて説明する。保持ばね８は、略矩形板状の取付片８ｂを有しており、取付片８ｂの一端側を折り返して保持片８ａが形成されている。この保持片８ａは、先端側が略く字状に折り曲げられており、取付片８ｂの幅方向両端側には、取付片８ｂの一部を切り起こして保持片８ａと反対側に折り曲げられた抜け止め片８ｃ、８ｃが形成されている。
【００２１】
ここで、ランプソケットＢの組み立て方法について図２及び図３に基づいて説明する。まず、導電部材９を取付ける方法について説明する。各導電部材９の挟持片９ａを前面側に向けた状態で導電部材収納部６の収納凹部６ａにそれぞれ挿入する。そして、裏面側から裏カバー１０の各弾性係止片１０ａをそれぞれ挿通係止孔６ｂに挿通すると、各弾性係止片１０ａの係止爪１０ｄが導電部材収納部６にそれぞれ係止して裏カバー１０が取付けられ、導電部材９の取付けが完了する。各導電部材９は、突出部２ａと係止片７ｃとが係止完了状態になると対応するランプピン３と安定接続される位置にそれぞれ配置されており、収納凹部６ａの底部と裏カバー１０とで位置決めされている。また、挟持片９ａはランプピン挿入孔５ｊを臨んで配置されており、速結端子９ｂは電源線挿入孔１０ｂを臨んで配置されている。
【００２２】
次に、係止ばね７を取付ける方法について説明する。各係止ばね７を外側から各開口部５ｆを通して係合溝５ｂに挿入する。そして、係合溝５ｂの位置決め突起５ｋに位置決め固定片７ａの位置決め孔７ｄを圧入嵌合し、両係止片７ｅ、７ｅを係止凹部５ｐ、５ｐにそれぞれ係止させると、係止ばね７の取付けが完了する。取付状態において、係止ばね７の可動ばね片７ｂは係合溝５ｂ内に配置されている。
【００２３】
さらに、保持ばね８を取付ける方法について説明する。各保持ばね８の取付片８ｂから保持片８ａへの折り返し部位を前面側に向けた状態で裏面側から各挿通係止孔５ｇにそれぞれ挿入する。そして、各抜け止め片８ｃを各挿通係止孔５ｇに設けた段部にそれぞれ係止させると、保持ばね８の保持片８ａが挿通溝５ｃ内に配置された状態で保持ばね８の取付けが完了する。取付状態において、保持ばね８は抜け止め片８ｃ、８ｃが段部と係止することによって、差込方向と逆方向への抜けが防止されている。
【００２４】
ここで、ランプＡをランプソケットＢに装着する際のランプピン３と導電部材９との関係及び突出部２ａと係止ばね７との関係について、図１に基づいて説明する。まず、口金部２と収納凹部５ａの位置を合わせて口金部２を収納凹部５ａの底部に当接するまで挿入すると、突出部２ａは挿通溝５ｃ内に挿入されて、図１（ａ）に示す位置に配置される。この時、各ランプピン３は、対応するランプピン挿入孔５ｊ内にそれぞれ挿入されて、導電部材９と非接触の状態で保持されている。この状態から口金部２を回転させると、図１（ｂ）に示すように突出部２ａが係合溝５ｂ内に進入し、突出部２ａは係止ばね７の可動ばね片７ｂに接触する。この時、各ランプピン３は、口金部２の回転動作に従ってランプピン挿入孔５ｊ内をそれぞれ移動し、対応する導電部材９にそれぞれ接触する。さらに、口金部２を回転させると、図１（ｃ）に示すように突出部２ａに押されて可動ばね片７ｂが弾性変形する。この時、各ランプピン３は、対応する導電部材９から前面側に押し返し力を受けている。従って、この状態で放置すると、導電部材９からの押し返し力によってランプピン３が前面側に押し出され、突出部２ａが回転方向と逆向きの力を受けるので、突出部２ａと係止ばね７との係止が外れてしまう。尚、突出部２ａは、この状態において可動ばね片７ｂから最大の付勢力を受けている。そして、図１（ｃ）の状態からさらに口金部２を回転させると、図１（ｄ）に示すように突出部２ａは下向きに弾性付勢された状態で係止片７ｃと係止し、口金部２が収納凹部５ａの底部に押付けられた状態で保持されて、ランプＡがランプソケットＢに装着される。この時、口金部２が収納凹部５ａの底部に押付けられることによって各ランプピン３も下向きに付勢されるので、各ランプピン３がそれぞれ対応する導電部材９に押付けられ、ランプピン３と導電部材９とが安定接続される。ここに、図１（ｄ）に示す突出部２ａと係止片７ｃとの係止状態を係止完了状態という。
【００２５】
逆に、ランプソケットＢからランプＡを取り外す場合には、まず口金部２を取付方向と反対方向に回転させると、突出部２ａと係止片７ｃとの係止が外れる。この時、各ランプピン３は、導電部材９と不安定な状態で接続している。さらに、口金部２を回転させると、突出部２ａが係合溝５ｂに沿って挿通溝５ｃまで移動する。この時、ランプピン３と導電部材９との接続が解除される（図１（ａ）参照）。そして、ランプＡを引き抜くと、突出部２ａが挿通溝５ｃに沿って前面側に移動し、ランプＡがランプソケットＢから取り外される。
【００２６】
このランプソケットＢでは、突出部２ａと係止片７ｃとが係止完了状態になってはじめてランプピン３と導電部材９とが安定接続されるので、突出部２ａと係止片７ｃとの係合が不完全な状態で放置されることがない。従って、突出部２ａを係止片７ｃに確実に係止させることができるので、ランプＡの落下を防止することができる。また、可動ばね片７ｂから突出部２ａが受ける付勢力が最大となる位置（図１（ｃ）の位置）では、ランプピン３は導電部材９から前面側に押し返し力を受けており、この状態で放置した場合、導電部材９の押し返し力によって突出部２ａが前面側に押し出され、突出部２ａが回転方向と逆向きの力を受けるので、突出部２ａと係止ばね７との係止が外れてしまう。従って、突出部２ａと係止ばね７とが不完全な係止状態に極めてなりにくい。
【００２７】
ここで、上述のランプソケットＢを用いた照明器具Ｃの一実施形態を図４に基づいて説明する。照明器具Ｃは、下面が開口し、開口端縁に鍔部１２ａを有する反射板１２を備えており、鍔部１２ａの近傍には取付ばね１３が取付けられている。この反射板１２は天板１６に取付けられており、反射板１２内には、ランプソケットＢが配設されている。また、天板１６にはランプＡに電源を供給するためのインバータ１４と、外部から配線された電源線（図示せず）が接続される電源端子台１５とが取付けられており、インバータ１４からのリード線（図示せず）が電源線挿入孔１０ｂに挿入されて、インバータ１４とランプソケットＢとの間が電気的に接続されている。
【００２８】
この照明器具Ｃは、天井面に設けた埋込孔（図示せず）を介して天井裏に配設され、取付ばね１３と鍔部１２ａとの間で天井材を挟持した状態で取付けられる。そして、図４（ａ）のように下面側からランプＡを反射板１２内に挿入し、ランプＡをランプソケットＢに装着すると、図４（ｂ）に示すように照明器具Ｃの取付けが完了する。
【００２９】
この照明器具Ｃでは、本発明に係るランプソケットＢを用いることによって、突出部２ａと係止ばね７とが不完全な係止状態で放置されることがないので、ランプＡの落下の虞れがない安全性の高い照明器具を提供することができる。また、ランプを着脱する際に加える力を必要以上に大きくしなくてもよく、ランプを着脱するための回転作業スペースを最小限にすることができる。従って、反射板１２の内径（図４（ｂ）のφＤ１）を小さくすることができるので、照明器具Ｃを小型化することができる。
【００３０】
尚、本実施形態で説明した係止ばね７及び保持ばね８の形状は、本実施形態に限定されるものではなく、配置箇所等に応じて適宜設計してもよい。また、本実施形態では、螺旋状の発光管１を用いたランプＡで説明したが、用いるランプＡは本実施形態に限定されるものではなく、片口金タイプのランプであればよい。さらに、ソケット本体４の形状も本実施形態に限定されるものではなく、適宜設計してもよい。
【図面の簡単な説明】
【００３１】
【図１】（ａ）〜（ｄ）は本実施形態のランプソケットにランプを装着する際の突出部と係止ばねとの関係及びランプピンと導電部材との関係を説明する説明図である。
【図２】同上にランプを装着する前の斜視図である。
【図３】同上の分解斜視図である。
【図４】（ａ）は同上を用いた照明器具にランプを取付ける前の状態図である。（ｂ）は同上を用いた照明器具にランプを取付けた状態の状態図である。
【符号の説明】
【００３２】
２    口金部
２ａ  突出部
３    ランプピン
４    ソケット本体
５    口金収納部
５ａ  収納凹部
５ｂ  係合溝
５ｃ  挿通溝
６    導電部材収納部
７    係止ばね
９    導電部材（導電板）
Ａ    ランプ
Ｂ    ランプソケット
【図１】
2008130385.tif 000003
【図２】
2008130385.tif 000004
【図３】
2008130385.tif 000005
【図４】
2008130385.tif 000006